【事件の表示】
　平成１０年特許願第５１２６９０号「苛性化プロセスの効率を制御するためのプロセス」拒絶査定不服審判事件〔平成１０年　３月１２日国際公開、ＷＯ９８／１０１３７、平成１３年　１月　９日国内公表、特表２００１−５００１９９〕について、次のとおり審決する。
【結　論】
　本件審判の請求は、成り立たない。
【理　由】
１．手続の経緯
　本願は、１９９７年８月２９日〔パリ条約による優先権主張外国庁受理　１９９６年９月３日　米国（ＵＳ）〕を国際出願日とする出願であって、平成１９年９月４日付けで拒絶査定がなされ、これに対し、平成１９年１２月１０日に拒絶査定に対する審判請求がなされたものである。
　
　そして、本願請求項１〜２４に係る発明は、平成１６年４月１日付け及び平成１９年７月４日付け手続補正書により補正された明細書及び図面の記載からみて、その特許請求の範囲の請求項１〜２４に記載された事項により特定されるとおりのものであり、その請求項１に係る発明（以下、「本願発明」という。）は、次のとおりのものである。
　
「多重の緑色リカー成分を含有する緑色リカーから多重の白色リカー成分を含有する白色リカーを生成するための苛性化反応を制御するための方法であって、
　前記緑色リカー成分のそれぞれの特性を測定すること、
　前記白色リカー成分のそれぞれの特性を測定すること、
　前記緑色リカー成分特性と前記白色リカー成分特性とを非線型のアプリケーション適用可能なコントローラで評価して苛性化制御信号を生成すること、及び
　白色リカーを生成するために前記苛性化制御信号に応答して前記苛性化反応を制御すること
　のステップを包含する方法。」
　
２．原査定の拒絶の理由
　原査定の拒絶の理由は、本願発明は、その出願前に頒布された刊行物（特表平７−５０８８３４号公報）に記載された発明に基づいて当業者が容易に発明をすることができたものであるから、特許法第２９条第２項の規定により特許を受けることができない、という理由を含むものである。
　
３．原査定の引用文献及びその記載事項
　原査定の拒絶の理由に引用された本願優先権主張日前に頒布された刊行物である特表平７−５０８８３４号公報（以下、「引用文献１」という。）には、次の記載がある。
　
摘記１ａ：請求項８
「緑色液がスメルト溶解タンクで作成され、緑色液清澄槽を経由して石灰消化槽に入り、消化槽で緑色液に酸化カルシウムが添加されて懸濁液が調製され、かかる懸濁液が苛性化槽を経由して白色液清澄槽、次いで蒸解機に送られるクラフトパルプの製造において、
　緑色液清澄槽を通過した緑色液と、白色液清澄槽を通過した白色液とから試料を採取し；
　緑色液と白色液の試料を波数約１８８２ｃｍ−１で赤外分光分析にかけて水のバックグラウンド・スペクトルに対するピーク吸光度の相対測定を行い；
　各種濃度の水酸化ナトリウムと炭酸ナトリウムとのピーク吸光度を測定し；
　試料のピーク吸光度の測定値と各種濃度の水酸化ナトリウムと炭酸ナトリウムのピーク吸光度との間の相関関係を用いて試料中の最適水酸化ナトリウムと炭酸ナトリウムの量を定め；
　緑色液と白色液に対する最適有効アルカリ量を得るために石灰消化槽中の緑色液への酸化カルシウムの添加をコントロールする
　各ステップによって改善されることからなる
再苛性化システムの操業をコントロールする方法。」
　
摘記１ｂ：第３頁左上欄第５〜２６行
「本発明はクラフトパルプの製造工程、特にクラフト摩碎機の蒸解、再苛性化、回収工程中の有効アルカリと無機塩の濃度を速やかに測定しコントロールする方法に関するものである。…溶液中の水酸化ナトリウムの全体量はパルプ蒸解前では有効アルカリ（ＥＡ）、パルプ蒸解後では残存有効アルカリ（ＲＥＡ）と呼ばれている。…クラフト工程の開始に際しては白色の溶液が蒸解機に供給される。この溶液は大量の有効アルカリを含有している。…塊状の有機物残滓はスメルトと呼ばれ、水に溶かすと低濃度の有効アルカリと高濃度の炭酸ナトリウムを含有する緑色の溶液が得られる。この緑色の溶液に石灰を加えて炭酸塩を苛性化すると白色の溶液が再生される。再苛性化後に残る少量の炭酸ナトリウムはそのまま蒸解機に送り込まれる。」
　
摘記１ｃ：第３頁右上欄第９行〜左下欄第１９行
「白色供給液の有効アルカリ量と供給黒色液の残存有効アルカリ量を適時に知ることは蒸解機のコントロール・ループを短縮しアルカリと石灰の消費量を低減する途である。有効アルカリ量を測定する種々の方法が提案されているが、これらの方法の多くは温度の影響を補正する必要があり他のカチオンとアニオン、並びに有機物の影響を受ける。…アメリカ特許第４，７４３，３３９号でＦａｘｉ等はオンライン赤外環状減衰反射測定に基づいて黒色液中の有効アルカリを定量する方法を提案している。Ｆａｘｉ等は亜硫酸アルカリ・アントラキノン・メタノール・パルプ化に際しての亜硫酸ナトリウムの消費量とスルフォン化リグニンの生成量が測定できることも報告しているが［…］、溶解成分が沈殿することに起因するスペクトルの非直線性のために結果はそれほど正確ではない。…工程溶液中の有効アルカリの直接測定に役立てるためには、無機物にも有機物にも妨害されないことが必要である。現在までのところ、パルプ製造溶液中の有効アルカリを直接測定できる赤外分光光度法は開発されていないし、パルプや紙の製造にも適用されていない。」
　
摘記１ｄ：第３頁左下欄第２７行〜右下欄第２０行及び第４頁右上欄第３〜５行
「工程溶液の試料は赤外分光光度法で分析され、基線補正された溶液の吸光度が予め決められた波長で測定され、溶液の化学組成が計算され、吸光度が吸光性化合物の濃度に関係づけられて、この関係が標準試料を使って既に得られている結果と比較される。工程試料は赤外分光光度法で得られたデータとの相関を確立するために標準的な分析方法でも分析が行われる。…オンライン分析用センサーは緑色液と白色液中の硫酸塩、チオ硫酸塩、炭酸塩、水酸化物のレベルの測定にも使用される。…従って、本発明のセンサーは自動滴定装置や伝導度センサーを代替して工程液中の炭酸塩、チオ硫酸塩、硫酸塩のレベルについて必要な情報を提供し、多重効用蒸発缶のスケールの付着状況のコントロールを改善することが出来る。…工程から溶液の試料を抜き出し、所定の波数でこの試料の赤外分光光度測定を行って水を使ったバックグラウンド・スペクトルに対する相対ピーク吸光度を求め、有効アルカリの補正曲線を作成するために既知の各種濃度の有効アルカリを含む溶液を同一の所定波数で分光測定して、試料のピーク吸光度の測定値と補正曲線の作成に使用した各種アルカリ溶液のピーク吸光度との相関から試料の最適有効アルカリ量を設定して、溶液の最適有効アルカリ量を得るための工程パラメーターを最終的にコントロールする。…分光計５０からの信号はコンピューター２２に送られてライン１４のバルブ１６を通る蒸気の流量を調整することによってＨ因子を使って蒸煮時間をコントロールする」
　
摘記１ｅ：第４頁右上欄第１６行〜左下欄第２４行
「第２図は回収システムと再苛性化システムを本発明の実施例のセンサー並びにコントロール機器と共に図解したものである。黒色液は多重効用缶（図示していない）を通ってライン５６から回収炉６０へ送られ、煙道ガス６２とスメルト６４を生成する。スメルト６４はスメルト溶解槽６６へ送られて緑色液となる。弱い洗浄液がライン５８から供給されガスはライン５９から放出される。緑色液清澄槽７２へ行くライン７０の試料採取点６８で緑色液の試料が採取される。試料は小さい孔の導管７４を通って試料流多重化装置７６とフロースルーＣＡＴＲセル７８に送られ、ここで照射された赤外光はフーリエ変換分光計８０で検出される。分光計は波数約１１０４ｃｍ−１と１００１ｃｍ−１における溶液の赤外吸光度と溶液中の硫酸塩量、チオ硫酸塩量との相関を取る。両者の濃度に対する分光計８０の読み取り値はコンピューター２２に転送されて、硫酸塩濃度に対する最小目標値を設定することによって任意の還元率を間接的に計算する。洗浄液によってタンクに導かれるチオ硫酸塩と硫酸塩は比較的少量であるからこの測定の障害とはならない。コンピューターは回収炉の運転パラメーターを調整して炉の下部における硫酸塩とチオ硫酸塩の還元率を向上させるためにも利用されている。かかる情報は手動調整を行うように運転員に伝達することもできる。溶液は次に緑色液清澄槽７２へ送られる。沈殿した残滓は廃棄ライン８４へ排出するに先立って残滓濾過機８２で濾別される。残滓濾過機８２で回収された緑色液は清澄槽７２からライン８６を通って試料採取点８８で試料が採取される。試料採取された溶液はライン９０を通って試料流多重化装置７６へ送られる。この試料はフロースルー・セル７８と分光計８０で分析される。分光計は炭酸塩と水酸化物のそれぞれの濃度を波数約１３８６ｃｍ−１と１８８２ｃｍ−１における赤外線の吸光度との対応づけを行う。清澄槽７２からライン８６で送られてきた溶液は石灰消化槽９２に入って、ここで酸化カルシウムが加えられて水酸化カルシウムが生成する。３基以上で構成された苛性化槽９８で炭酸塩の大部分は水酸化カルシウムと反応して水酸化ナトリウムと炭酸カルシウムを生成する。生成した懸濁液は白色液清澄槽９８へ送られ、蒸解機へ導かれる。清澄化された溶液は白色液清槽器９８の出口にある採取点１００で試料が採取される。採取された白色液試料はライン１０２を通って多重化器７６とフロースルー・セル７８に送られて分光計８０で炭酸塩と水酸化物が分析される。各試料採取点６８、８８、１００で採取された試料は多重化器７６でシーケンス化されるようになっている。清澄器９８からの石灰泥は取り出して石灰焼成炉（図示していない）に送られ焼成されて生石灰（ＣａＯ）になる。この生石灰は石灰消化槽９２へリサイクルされる。試料採取点８８と１００で採取された溶液の出力データは炭酸塩と水酸化物のレベルをモニターして、コンピューター２２を使って苛性化反応に要する時間の遅れを補正した上で苛性化率（ＣＥ）が求められる。コンピューター２２はまたバルブ９４をコントロールし、石灰消化槽９２への石灰供給速度を調節する。」
　
摘記１ｆ：第５頁右上欄下から１４行〜左下欄第６行
「実施例１　３種類の異なる濃度のＥＡの赤外スペクトルを有効アルカリ基準（Ｎａ２Ｏとしてｇ／Ｌ）で第３図に示した。代表的なＥＡの補正曲線を白色液について、ＥＡ濃度（Ｎａ２Ｏとしてｇ／Ｌ）に対するＦＴ−ＩＲ吸光度の形で第４図に示した。…水酸化ナトリウムが高レベルであると波数１００１ｃｍ−１と１３８６ｃｍ−１の近傍で、ベースラインが上方へ僅かに、再現性のあるシフトを起こす。ベースラインのシフトは全吸光度の約１０％である。このようなベースラインの吸光度はピークのベースの近傍に位置する波長で推定することが出来、化合物に起因する吸収を得るためには炭酸塩、チオ硫酸塩、硫酸塩に対応するピークでのピーク吸光度の読みから差し引く必要がある。波数約１８８２ｃｍ−１に位置するピークは容易に検出できて、他のピークと相互作用を起こさない。」
　
摘記１ｇ：第６頁左上欄第１６〜２１行
「以上の諸実施例から、クラフトパルプ製造工程の各種溶液は分析が可能で試料のピーク吸光度の測定値を各種アルカリのピーク吸光度と関係づけることによって溶液中の有効アルカリをコントロールすることが出来、試料中の最適アルカリ量を決めることが可能であることが解る。その結果、少なくとも一つの工程変数を変えることによって溶液中の有効アルカリが最適値になるように工程を管理することが可能になる。」
　
摘記１ｈ：図２
　
４．引用文献１に記載された発明
　引用文献１には、「緑色液がスメルト溶解タンクで作成され、緑色液清澄槽を経由して石灰消化槽に入り、消化槽で緑色液に酸化カルシウムが添加されて懸濁液が調製され、かかる懸濁液が苛性化槽を経由して白色液清澄槽、次いで蒸解機に送られるクラフトパルプの製造において、…緑色液と白色液に対する最適有効アルカリ量を得るために石灰消化槽中の緑色液への酸化カルシウムの添加をコントロールする…再苛性化システムの操業をコントロールする方法。」との記載（摘記１ａ）、及び「溶液中の水酸化ナトリウムの全体量はパルプ蒸解前では有効アルカリ（ＥＡ）…と呼ばれている。…クラフト工程の開始に際しては白色の溶液が蒸解機に供給される。この溶液は大量の有効アルカリを含有している。…低濃度の有効アルカリと高濃度の炭酸ナトリウムを含有する緑色の溶液が得られる。この緑色の溶液に石灰を加えて炭酸塩を苛性化すると白色の溶液が再生される。再苛性化後に残る少量の炭酸ナトリウムはそのまま蒸解機に送り込まれる。」との記載（摘記１ｂ）がある。
　ここで、摘記１ｂの「低濃度の有効アルカリと高濃度の炭酸ナトリウムを含有する緑色の溶液」との記載における「有効アルカリ」は、摘記１ｂの「溶液中の水酸化ナトリウムの全体量はパルプ蒸解前では有効アルカリ…と呼ばれている。」との記載からみて「溶液中の水酸化ナトリウムの全体量」を示すものと解され、当該「緑色の溶液」は、摘記１ａの「緑色液」と同じものを指すものと解されるから、引用文献１には、『低濃度の水酸化ナトリウムと高濃度の炭酸ナトリウムを含有する緑色液』が記載されている。
　また、摘記１ｂの「白色の溶液が蒸解機に供給され…この溶液は大量の有効アルカリを含有している。…再苛性化後に残る少量の炭酸ナトリウムはそのまま蒸解機に送り込まれる。」との記載からみて、蒸解機に送り込まれる「白色の溶液」には、「大量の有効アルカリ」と「少量の炭酸ナトリウム」が含まれるものと解され、当該「白色の溶液」は、摘記１ａの「白色液」と同じものを指すものと解されるから、引用文献１には、『大量の水酸化ナトリウムと少量の炭酸ナトリウムを有する白色液』が記載されている。
　そして、摘記１ｂの「この緑色の溶液に石灰を加えて炭酸塩を苛性化すると白色の溶液が再生される。」との記載、及び摘記１ａの「再苛性化システムの操業をコントロールする方法。」との記載からみて、引用文献１には、『緑色液に、石灰を加えて炭酸塩を苛性化し、白色液を再生する、再苛性化システムの操業をコントロールする方法。』が記載されている。
　
　次に、引用文献１には、「残滓濾過機８２で回収された緑色液は清澄槽７２からライン８６を通って試料採取点８８で試料が採取される。試料採取された溶液はライン９０を通って試料流多重化装置７６へ送られる。この試料はフロースルー・セル７８と分光計８０で分析される。分光計は炭酸塩と水酸化物のそれぞれの濃度を波数約１３８６ｃｍ−１と１８８２ｃｍ−１における赤外線の吸光度との対応づけを行う。」との記載（摘記１ｅ）、及び「緑色液清澄槽を通過した緑色液…から試料を採取し；緑色液…の試料を…赤外分光分析にかけて…ピーク吸光度の相対測定を行い；…試料中の最適水酸化ナトリウムと炭酸ナトリウムの量を定め；」との記載（摘記１ａ）がある。
　ここで、摘記１ｅの「緑色液は…試料採取点８８で試料が採取され…分光計８０で分析され…炭酸塩と水酸化物のそれぞれの濃度を赤外線の吸光度との対応づけを行う。」との記載、及び摘記１ａの「緑色液…から試料を採取し；…分析にかけて…測定を行い；…試料中の…水酸化ナトリウムと炭酸ナトリウムの量を定め」との記載において、摘記１ａの「炭酸ナトリウム」と「水酸化ナトリウム」は、摘記１ｅの「炭酸塩」と「水酸化物」に対応するものであって、摘記１ｅの「分光計８０で分析」は、炭酸塩（炭酸ナトリウム）と水酸化物（水酸化ナトリウム）の「それぞれの濃度」を赤外線の吸光度との対応づけを行うことで「測定」しているものであるから、引用文献１には、『試料採取点８８で緑色液から試料を採取し、炭酸塩と水酸化物のそれぞれの濃度を測定』することが記載されている。
　
　同様に、引用文献１には、「清澄化された溶液は白色液清槽器９８の出口にある採取点１００で試料が採取される。採取された白色液試料はライン１０２を通って多重化器７６とフロースルー・セル７８に送られて分光計８０で炭酸塩と水酸化物が分析される。」との記載（摘記１ｅ）、及び「白色液清澄槽を通過した白色液…から試料を採取し；…白色液の試料を…赤外分光分析にかけて…ピーク吸光度の相対測定を行い；…試料中の最適水酸化ナトリウムと炭酸ナトリウムの量を定め；」との記載（摘記１ａ）がある。
　してみると、引用文献１には、『採取点１００で白色液から試料を採取し、炭酸塩と水酸化物のそれぞれの濃度を測定』することが記載されている。
　
　そして、引用文献１には、「試料採取点８８と１００で採取された溶液の出力データは炭酸塩と水酸化物のレベルをモニターして、コンピューター２２を使って苛性化反応に要する時間の遅れを補正した上で苛性化率（ＣＥ）が求められる。コンピューター２２はまたバルブ９４をコントロールし、石灰消化槽９２への石灰供給速度を調節する。」との記載（摘記１ｅ）がある。
　
　以上のことから、引用文献１には、
『高濃度の炭酸塩と低濃度の水酸化物を含有する緑色液に、石灰を加えて炭酸塩を苛性化し、大量の水酸化物と少量の炭酸塩を有する白色液を再生する、再苛性化システムの操業をコントロールする方法であって、
　試料採取点８８で緑色液から試料を採取し、炭酸塩と水酸化物のそれぞれの濃度を測定し、
　採取点１００で白色液から試料を採取し、炭酸塩と水酸化物のそれぞれの濃度を測定し、
　試料採取点８８と１００で採取された溶液の出力データは炭酸塩と水酸化物のレベルをモニターして、コンピューター２２を使って苛性化反応に要する時間の遅れを補正した上で苛性化率（ＣＥ）が求められ、
　コンピューター２２がバルブ９４をコントロールし、石灰消化槽９２への石灰供給速度を調節すること
　を包含する方法。』
についての発明（以下、「引用発明」という。）が記載されている。
　
　５．対比・判断
（１）対比
　本願発明と引用発明とを対比する。
　引用発明の「高濃度の炭酸塩と低濃度の水酸化物を含有する緑色液」、及び「大量の水酸化物と少量の炭酸塩を有する白色液」は、炭酸塩と水酸化物の複数の成分からなるものであるから、本願発明の「多重の緑色リカー成分を含有する緑色リカー」及び「多重の白色リカー成分を含有する白色リカー」に相当し、
　引用発明の「再苛性化システムの操業をコントロールする方法」は、本願発明の「苛性化反応を制御するための方法」に相当し、
　引用発明の「緑色液に、石灰を加えて炭酸塩を苛性化し…白色液を再生する…方法」は、本願発明の「緑色リカーから…白色リカーを生成するための…方法」に相当し、
　引用発明の「試料採取点８８で緑色液から試料を採取し、炭酸塩と水酸化物のそれぞれの濃度を測定」は、本願発明の「前記緑色リカー成分のそれぞれの特性を測定すること」に相当し、
　引用発明の「採取点１００で白色液から試料を採取し、炭酸塩と水酸化物のそれぞれの濃度を測定」は、本願発明の「前記白色リカー成分のそれぞれの特性を測定すること」に相当し、
　引用発明の「試料採取点８８と１００で採取された溶液の出力データ」は、本願発明の「前記緑色リカー成分特性と前記白色リカー成分特性」に相当し、
　引用発明の「コンピューター２２」は、試料採取点８８と１００で採取された溶液の出力データに基づいて炭酸塩と水酸化物のレベルをモニターして苛性化反応に要する時間の遅れを補正した上で苛性化率（ＣＥ）を求め、さらにバルブ９４をコントロールするものであるから、本願発明の「コントローラ」に相当し、
　引用発明の「苛性化率（ＣＥ）」は、石灰消化槽９２への石灰供給速度を調節するための基礎とされるものであって、摘記１ｄの「分光計５０からの信号はコンピューター２２に送られて…蒸煮時間をコントロールする」との記載にあるように、コンピューター制御においては「信号」を通じてコントロールを行うのが普通であることから、本願発明の「苛性化制御信号」に相当するものと解され、
　引用発明の「苛性化率（ＣＥ）」は、コンピューター２２が炭酸塩と水酸化物のレベルをモニターして、苛性化反応に要する時間の遅れを補正した上で求められるものであるから、コンピューター２２による「評価」によって「生成」されたものと解され、
　引用発明の「石灰消化槽９２への石灰供給速度を調節すること」は、引用発明が「石灰を加えて炭酸塩を苛性化し、…白色液を再生」するものであって、石灰供給速度を調節することによって、白色液を再生する苛性化反応が制御されることを意味しているに等しいから、本願発明の「白色リカーを生成するために…前記苛性化反応を制御すること」に相当し、
　引用発明の「石灰消化槽９２への石灰供給速度を調節すること」は、コンピューター２２が求めた苛性化率（ＣＥ）に応じて、バルブ９４をコントロールすることによって調節がなされることであるから、苛性化率（ＣＥ）に「応答」して苛性化反応を制御しているものと解される。
　よって、本願発明と引用発明とは、
『多重の緑色リカー成分を含有する緑色リカーから多重の白色リカー成分を含有する白色リカーを生成するための苛性化反応を制御するための方法であって、
　前記緑色リカー成分のそれぞれの特性を測定すること、
　前記白色リカー成分のそれぞれの特性を測定すること、
　前記緑色リカー成分特性と前記白色リカー成分特性とをコントローラで評価して苛性化制御信号を生成すること、及び
　白色リカーを生成するために前記苛性化制御信号に応答して前記苛性化反応を制御すること
　のステップを包含する方法。』
である点において一致し、コントローラが、本願発明においては「非線型のアプリケーション適用可能なコントローラ」であるのに対して、引用発明においては「コントローラ」が「非線型のアプリケーション適用可能」なものであるとして規定されていない点においてのみ相違する。
　
（２）判断
　上記相違点について検討する。
　コンピューター装置は、そのハードウェアに、アプリケーションプログラムというソフトウェアがアップロードされることによって、その機能を発揮し得ることは普通に知られており、通常のコンピューターは故障などの例外を除き「アプリケーション適用可能な装置」であるものと認められる。
　ここで、引用発明の「コンピューター２２」について、本願明細書（以下、平成１１年３月３日付けの特許法第１８４条の５第１項の規定による書面の記載箇所で示す。）の第１５頁第１０〜１５行の「特定のアプリケーションのための神経ネットワークの訓練と実施のために使用し得る多くの商業的パッケージ」が、オペレーティング・システム（ＯＳ）やプログラム容量の関係で、そのまま適用可能であるか否かは定かではないが、引用発明の「コンピューター２２」がコンピューターである以上、それに適用されるアプリケーションが「非線型のアプリケーション」としてプログラミングされていても、引用発明の「コンピューター２２」に適用可能であることに変わりはない。
　そして、摘記１ｆの「水酸化ナトリウムが高レベルであると波数１００１ｃｍ−１と１３８６ｃｍ−１の近傍で、ベースラインが上方へ僅かに、再現性のあるシフトを起こす。ベースラインのシフトは全吸光度の約１０％である。このようなベースラインの吸光度はピークのベースの近傍に位置する波長で推定することが出来、化合物に起因する吸収を得るためには炭酸塩、チオ硫酸塩、硫酸塩に対応するピークでのピーク吸光度の読みから差し引く必要がある。」との記載からみて、引用文献１には、水酸化ナトリウムが高レベルである場合には、僅かではあるがシフトが生じるため、例えば、波数１３８６ｃｍ−１の近傍でＩＲ吸光度を測定した場合には、水酸化ナトリウムが高レベルである条件下において、ピーク吸光度の読みから差し引く必要があること、換言すると、『ｉｆ（水酸化ナトリウムが高レベル）、ｔｈｅｎ（ピーク吸光度の読みから差し引く）』という本願明細書の第１９頁第２３〜２７行の『ファジーエンジンブロック５０４は、例えば人間の経験を組み込んだ言語規則のセットを有するファジー推論規則を適用する…推論規則は、「ｉｆ…ｔｈｅｎ…」の形式の一連のステートメントである。』と同様の非線型のデータ処理が、場合により必要であることが記載されているものと認められる。
　また、例えば、特開平４−７３２８６号公報には、パルプ製造プラントにおいてＮａＯＨを主成分とする薬剤を回収する回収ボイラに関する技術分野において（第２頁左上欄第４〜１５行）、「検出濃度に応じてファジィ論理を用いて回収ボイラの運転に最適な制御信号を得る信号処理制御手段とを備え」ること（第３頁右上欄第１７〜１９行）が記載されており、特開平５−２７９９８０号公報には、紙パルプ製造プロセスで発生する黒液に含まれている貴重な薬品（苛性ソーダ）を回収する技術において（段落０００２）、ニューラルネットワークとファジィ推論とを組み合わせて制御を完全自動化させること（段落００１０）が記載されているところ、神経ネットワークやファジー論理などの非線型な処理を、コントローラを用いた制御プロセスに適用することは、パルプ製造プラントの技術分野において普通に行われている技術であると認められる。
　してみると、パルプ製造プラントの技術分野において非線型の処理を行うことは公知ないし周知の技術手段であると認められるから、引用発明の「コンピューター２２」として非線型のアプリケーション適用可能なものを採用することは、当業者にとって格別の創意工夫を要することではない。
　
　なお、平成２０年１月９日付けで手続補正された審判請求書の請求の理由において、審判請求人は、『しかしながら、引用文献１においては、単に緑色リカーと白色リカーとについてフーリエ変換赤外分光硬度計を用いて分析を行いこれに基づいて制御を行うことしか開示しておらず、この特性に基づいてどのような制御を行うかについては何も言及していません。これに対して、本願発明では、「これらの特性を非線型のアプリケーション適用可能なコントローラで評価すること」としており、この非線型のアプリケーション適用可能なコントローラによる評価は、緑色リカー及び白色リカーの両方について得られたそれぞれ少なくとも２つの特性について行われています。このように、多重の特性について非線型技術を適用することについては、当業者といえども容易に想到し得るものではなく、単なる設計事項にも該当しないと確信致します。』と主張している。
　しかしながら、引用文献１には、例えば、水酸化ナトリウムが高レベルであると波数１００１ｃｍ−１と１３８６ｃｍ−１の近傍で、ベースラインが上方へ僅かに、再現性のあるシフトを起こすため、化合物に起因する吸収を得るために、炭酸塩、チオ硫酸塩、硫酸塩に対応するピークでのピーク吸光度の読みから差し引く必要があることなどを開示しており（摘記１ｆ）、ＦＴ−ＩＲ分光光度計に基づく測定値に対して、必要に応じて補正を行うこと、すなわち、多重の特性について非線型技術を適用することまでもが開示されているものと認められるから、上記審判請求人の主張は採用できない。
　
（３）本願発明の効果について
　本願明細書の第４頁第２３〜２４行には、「苛性化反応は、これにより、これまで可能であったものより効率的かつ有効に制御される。」という効果が記載されている。
　また、平成２０年１月９日付けで手続補正された審判請求書の請求の理由において、審判請求人は、『このように、本願発明では、緑色リカー及び白色リカーの両方の成分特性を測定し、そのためのセンサを設け、得られたこれらの特性を非線型のアプリケーション適用可能なコントローラで評価し、このことによって更に苛性化反応を正確に制御することができるという優れた効果を発揮します。』と主張している。
　これに対して、引用文献１には、「有効アルカリ量を測定する種々の方法が提案されているが、これらの方法の多くは温度の影響を補正する必要があり他のカチオンとアニオン、並びに有機物の影響を受ける。…スペクトルの非直線性のために結果はそれほど正確ではない。…工程溶液中の有効アルカリの直接測定に役立てるためには、無機物にも有機物にも妨害されないことが必要である。」との記載があり、パルプ製造工程の溶液中の有効アルカリ量が他の有機物の影響などによりスペクトルが非線型となり、結果がそれほど正確ではないという問題点があることが記載されている（摘記１ｃ）。
　そして、この問題を解決するために、引用文献１には、水酸化ナトリウムが高レベルである場合には、ピーク吸光度の読みから差し引く等の解決手段を講じること（摘記１ｆ）、ないしは「工程から溶液の試料を抜き出し、所定の波数でこの試料の赤外分光光度測定を行って水を使ったバックグラウンド・スペクトルに対する相対ピーク吸光度を求め、有効アルカリの補正曲線を作成するために既知の各種濃度の有効アルカリを含む溶液を同一の所定波数で分光測定して、試料のピーク吸光度の測定値と補正曲線の作成に使用した各種アルカリ溶液のピーク吸光度との相関から試料の最適有効アルカリ量を設定して、溶液の最適有効アルカリ量を得るための工程パラメーターを最終的にコントロールする。」こと（摘記１ｄ）が記載されている。
　また、引用文献１には、「以上の諸実施例から、クラフトパルプ製造工程の各種溶液は分析が可能で試料のピーク吸光度の測定値を各種アルカリのピーク吸光度と関係づけることによって溶液中の有効アルカリをコントロールすることが出来、試料中の最適アルカリ量を決めることが可能であることが解る。その結果、少なくとも一つの工程変数を変えることによって溶液中の有効アルカリが最適値になるように工程を管理することが可能になる。」という効果（摘記１ｇ）が記載されている。
　してみると、引用文献１には、スペクトルが非線型となることに起因した問題に対して、試料のピーク吸光度の測定値と補正曲線の作成に使用した各種アルカリ溶液のピーク吸光度との相関から試料の最適有効アルカリ量を設定して、溶液の最適有効アルカリ量を得るための工程パラメーターを最終的にコントロールして、溶液中の有効アルカリが最適値になるように工程を管理することが可能になるという効果が記載されている。
　したがって、上記本願明細書の効果ないし審判請求人の主張する効果については、当業者にとって格別予想外の顕著な効果であるとは認められず、本願明細書を精査しても、他に当業者にとって格別予想外の顕著な効果があるとも認められない。
　
（４）まとめ
　以上総括するに、本願発明は、本願優先権主張日前に頒布された刊行物である引用文献１に記載された発明に基づいて、当業者が容易に発明をすることができたものであるから、特許法第２９条第２項の規定により、特許を受けることができない。
　
６．むすび
　したがって、本願発明は、特許法第２９条第２項の規定により、特許を受けることができないものであるから、その余の請求項に係る発明について検討するまでもなく、本願は拒絶すべきものである。
　よって、結論のとおり審決する。